(57)【要約】【課題】  伸縮自在棚を回動して立ち上げて寄せて使用する場合に、棚の収納により食品の収納空間を狭めない構成の冷蔵庫を提供する。【解決手段】  間部下端で且つ空間内に位置するガイド水平部と、棚を通常位置からガイド水平部に案内するガイド斜面と、上記斜面ガイド斜面部を摺動する支軸を持った棚とで構成し、上記棚を棚収納用空間部内に保持する構成により、必要あって、棚を貯蔵室後方に寄せて収納する場合には、前記棚収納用の空間部を利用して収納する構成とすることで、食品収納の空間を狭めることのない冷蔵庫を提供できる。【選択図】  図１
2006170546.tif 000002
【特許請求の範囲】
【請求項１】
庫内背部の収納基準面より断熱材側に窪ませたて作った棚収納用空間部と、その空間部下端で且つ空間内に位置するガイド水平部と、棚を通常位置からガイド水平部に案内するガイド斜面と、棚下面の両側部に設けられ且つ上記ガイド斜面部を摺動する支軸を持った棚とで構成し、上記棚を棚収納用空間部内に保持するようにしたことを特徴とする冷蔵庫。
【請求項２】
庫内背部の収納基準面を内箱前面に設けられた化粧板で構成し、この化粧板に棚収納用空間部を形成したことを特徴とする請求項１記載の冷蔵庫。
【請求項３】
棚を前棚と後棚とで構成し、前棚は後棚内に移動可能とすると共に、前棚を後棚に収納した状態で後棚の支軸を回動させ、該後棚を棚収納用空間部内に収納したことを特徴とする請求項１記載の冷蔵庫。
【請求項４】
棚を前棚と後棚とで構成し、後棚の支軸を案内する内箱側壁側に設けたレールは、前棚を後棚に収納した状態で後棚を棚収納用空間部に誘導するガイド斜面と連続して形成してあることを特徴とする請求項１記載の冷蔵庫。
【請求項５】
棚を前棚と後棚とで構成し、前棚を後棚に収納した状態で後棚を、棚収納用空間部に略垂直に保持する保持機構を棚収納用空間部若しくはその近くに設けたことを特徴とする請求項１記載の冷蔵庫。
【請求項６】
支軸を基点に棚を回動させたとき、棚が空間部壁に当接し回動が止まるのを防止する逃げ部を棚収納用空間部の壁面若しくは支軸を支える軸受部に設けたことを特徴とする請求項１記載の冷蔵庫。
【発明の詳細な説明】
【技術分野】
【０００１】
本発明は、必要に応じて貯蔵室の棚を回動して奥に収納する棚装置を備えた冷蔵庫に関するものである。
【背景技術】
【０００２】
冷蔵庫内にサイズの異なる多数の食品を収納するために、貯蔵室内部を棚で細かく複数の段に区切るほか、大きなものを収納する場合には、棚を奥にしまい込んで保管できる棚装置が用いられることが多くなってきている。
【０００３】
例えば、図６に示す従来の冷蔵庫の貯蔵室断面図および図７に示す従来の冷蔵庫における伸縮自在棚の回動形状と周辺構造に基づき説明する（特許文献１）。
【０００４】
１は箱本体であって、内箱１a、外箱1b、および背面断熱材1cで基本的な断熱性の箱体を構成し、背面断熱材1cの内側の上方寄りにはファン２と冷却器３を配置し、上下方向には冷気通風の往路５a，復路５bが設けられている。その前方に上記機器を覆う化粧板４が装着されている。
【０００５】
上記化粧板４は庫内背部に位置し、機器収納の少ない下方に部分的な窪み部６を有し、それより上方の広い壁面と該壁面の延長ラインＡより前方が実質的に食品収納の出来る空間であって貯蔵室７の主要部となっている。
【０００６】
貯蔵室７内は底面に樹脂板で囲まれた小物収納ケース８および製氷用給水ボトル（図示省略）を設置し、その上方に伸縮自在棚９、棚板１０、棚板１１を配置して、計５段に収納領域区画している。
【０００７】
伸縮自在棚９は上記化粧板４の窪み部を作る屈曲部のほぼ前方に位置し、図７に拡大して示すように前棚９aを後棚９b内に収納して半幅にした後、後棚９bの支軸９cを中心に回動して化粧板４側に立ち上げることのできる構成になっている。
【０００８】
棚板１０、棚板１１はそのまま予備の選択用棚受１２に移動して上下方向の棚間距離を調節できるものである。箱本体1の前方には扉１３が取り付けられている。
【０００９】
【特許文献１】特開２００４−１１６８４４号公報
【発明の開示】
【発明が解決しようとする課題】
【００１０】
しかしながら、上記従来の構成では、前記支軸９cは後棚９bの前後方向のほぼ中間にあって、伸縮自在棚９を縮めて、支軸９cを中心に回動して前端９dから立ち上げると、図７に示すように、伸縮自在棚９を破線のように垂直位置まで立ち上げた場合には、後棚９bの上面から支軸９c間の距離Pを大きく作れないので、化粧板４まで届かず食品収納空間内に留まる構成となり、食品の収納空間を狭めてしまうものであった。また、そのままでは転倒することになる。
【００１１】
転倒を防止する為に、さらに回動して伸縮自在棚９を１点鎖線のように化粧板４側に斜めにして立てかけた場合には、後端９e側（図示では下方端）が収納空間に侵入（棚後方の窪み部壁面から５０〜９０ｍｍの位置（寸法ｓ））して食品の収納空間を狭めてしまうという問題があった。
【００１２】
すなわち、後壁の窪み部６は伸縮自在棚の後端９eの回転を可能にする点では役立つが、伸縮自在棚９を立ち上げて使用する場合には、食品の収納のできない無用な空間を構成することとなっていた。
【００１３】
また、収納状態の保持手段が施されていないので、食品の出し入れ作業で棚下端が押されて支軸９cを支点に逆回動を招き棚上端が手や食品に当たることがあった。
【００１４】
しかるに、収納空間に侵入する寸法は伸縮自在棚の支軸９cと後端９e間の距離ｍによって決まるので支軸９cを後端９e側に寄せて距離ｍを小にすれば少なくできると共に後端９eの回転軌跡も少なくできるが、この場合には、伸縮自在棚９が化粧板４の窪みのない壁面４に当接して垂直に近い立ち上がり状態となって転倒する恐れがある。また、他方の支軸９cと前端９ｄ間の距離ｎは大となるので、立ち上がり途中においては前端９d側が上段棚１１に当たりスムーズに回動及び移動ができないこととなり、棚間も狭められないという問題が生じてくる。上記のような問題から伸縮自在棚の支軸９c点は後棚９ｅの前後方向の中点を選ばざるを得ない事情があった。
【００１５】
また、伸縮自在棚９を支軸９cの中心を変えずに回動させると後端９ｅは後に突き出てくるので、それを逃げる為に窪み部を形成し、且つ自在棚の後端９ｅと後方壁面との間に空間距離をとっていたが、この空間から食品が落下することがあった。また、上記窪み部６は逃げの作用以外には、棚を立ち上げた場合にはもはや無効な空間となっていた。
【００１６】
本発明は上記問題点に鑑み、下記のような（１）から（６）の課題を解決させる冷蔵庫を提供する為に行なったものである。
（１）棚の収納が食品収納の邪魔をしない場所とすること。併せて簡単な操作で所定位置に移動でき、且つその場所に保持すること。
（２）棚の収納用空間部の配設が容易であること。
（３）棚を収納する際に，棚の回転体積が小で、移動中に隣接する棚に当らないこと。また、収納用空間部は小さくて済むこと。
（４）棚収納のための移動がスムーズで、且つ容易に所定位置に移動でき、移動により食品を傷めるようなことがないこと。
（５）棚の収納を略垂直にして、収納中はその状態を維持させること。
（６）棚の収納用空間部を最小限にすること、併せて回動操作で棚が貯蔵室内壁に当たらないこと。
【課題を解決するための手段】
【００１７】
上記第１の課題を解決するための手段は、庫内背部の収納基準面より断熱材側に窪ませたて作った棚収納用空間部と、その空間部下端で且つ空間内に位置するガイド水平部と、棚を通常位置からガイド水平部に案内するガイド斜面と、棚下面の両側部に設けられ且つ上記ガイド斜面部を摺動する支軸を持った棚とで構成し、上記棚を棚収納用空間部内に保持するように構成したものである。
【００１８】
また、上記第２の課題を解決するための手段は、第１手段の庫内背部の収納基準面を、内箱前面に設けられた化粧板で構成し、この化粧板に棚収納用空間部を形成したものである。
【００１９】
また、上記第３の課題を解決するための手段は、第１手段の棚を前棚と後棚とで構成して前棚は後棚内に移動可能とすると共に、前棚を後棚に収納した状態で後棚の支軸を回動させ、該後棚を棚収納用空間部内に収納できるように構成したものである。
【００２０】
また、上記第４の課題を解決するための手段は、第１手段の棚を前棚と後棚とで構成して、後棚の支軸を案内する内箱側壁側に設けたレールは、前棚を後棚に収納した状態で後棚を棚収納用空間部に誘導するガイド斜面と連続して形成したものである。
【００２１】
また、上記第５の課題を解決するための本発明の手段は、第１手段の棚を前棚と後棚とで構成し、前棚を後棚に収納した状態で、後棚を棚収納用空間部に略垂直に保持する保持機構を棚収納用空間部若しくはその近くに設けた構成にしたものである。
【００２２】
また、上記第６の課題を解決するための本発明の手段は、第１手段において、支軸を基点に棚を回動させたとき、棚が空間部壁に当接し回動が止まるのを防止する逃げ部を棚収納用空間部の壁面若しくは支軸を支える軸受部に設けた構成としたものである。
【発明の効果】
【００２３】
請求項１の構成により、棚を使わないで庫内に収納して置く場合に、棚を後方に押すガイド斜面に沿って摺動が行われ、棚下端が自動的に棚収納用空間部内の所定位置に入り、該空間部内に保持されるものである。
【００２４】
したがって、棚が食品の収納を邪魔しない冷蔵庫を提供することができる。
【００２５】
また、請求項２の構成により、棚収納用空間をなす窪み部を内箱の化粧板側に設けたので、棚収納用空間部を簡単に成形することができる。一方内箱側に設けると、窪み部構成の為に断熱材発泡用雇の簡略化や断熱材側への部品取り付けなどのわずらわしい問題が生じるが、化粧板側に設けることによりこれをなくすことができる。
【００２６】
また、請求項３の構成により、前棚と後棚が一体化されて棚幅が略半分に縮小された小形な棚となるので回動立ち上げの回転体積が小となり、上段の棚から距離が取れることになる。よって、棚間寸法を狭めることができる。また、棚収納用空間部も小さく配設も容易となる。また、取り扱いが容易になるほか、棚収納用空間部内に入った棚の保持は前棚あるいは後棚のいずれかを簡単な保持手段で用いて行なうことができる。
【００２７】
請求項４の構成により、レールとガイド斜面が連続して形成されているので、棚をスムーズに移動させながら棚収納用空間部に向かう姿勢が得られるものである。また、この際、前棚と後棚が小形に一体化された状態で且つガイド斜面に案内されるので、棚の前端(２３aa)が上段棚（２２）に衝突して食品を傷めるようなことがないものである。
【００２８】
請求項５の構成により、棚は前棚と後棚が小形に一体化されたものにまとまるので、簡単な保持機構により所定の収納状態を維持することができ、傾斜や転倒して棚が収納用空間部からはみだすというような問題を無くすことができる。また、空間部の窪み深さを最小限にできる。
【００２９】
請求項６の構成により、棚収納用の空間部の窪み量を小さくすることができるので、壁間の断熱材側へ影響（壁間の断熱性能および機器配置、寸法の変更）を最小限にできるものである。また、棚（２３）の通常使用時に後端（２３bb）と窪み壁面（２６a、または４４a）との間を小さくできるので、食品が棚（２３）より棚収納用の空間部に落下するのを防止できる。
【発明を実施するための最良の形態】
【００３０】
以下、本発明の冷蔵庫の実施形態について，図面に基づいて説明する。
【実施例１】
【００３１】
図１は本発明の冷蔵庫の実施例１における伸縮自在棚の回動形状と棚収納構造を示す断面図、図２は本発明の冷蔵庫の実施例１における伸縮自在棚部の伸ばした状態とレール部の相対関係を示す斜視図、図３は本発明の冷蔵庫の実施例１における伸縮自在棚部の伸ばした状態を示す側面図、図４は本発明の冷蔵庫の実施例１における伸縮自在棚部の前棚を縮めた状態を示す側面図である。
【００３２】
ここで、図１に記載してない冷蔵庫の部所については、従来と基本的に同一構成であるので詳細な説明は省略する。
【００３３】
はじめに図１により全体構成について説明する。２１は冷蔵庫の貯蔵室であり、内部上段に平板からなる複数の棚板２２と下段に伸縮自在棚２３を配置してある。点線Ｂは伸縮自在棚２３に関して、前棚２３aを後棚に収納して縮めた状態で使用するときの形状図であり、２点鎖線Ｃは回動して立ち上げはじめたときの状態図、実線Ｄは立ち上げ終了して所定位置に収納保持した状態の形状図である。
【００３４】
貯蔵室２１の最下段には小物収納ケース２４を配置している。化粧板２５は冷蔵庫製作の最終段階で一部品として取り付けが可能なものであるので、後壁の断熱材側に冷却器等の機器や通風路装置等を設置し、これらの着脱が可能で、その製作や改良も容易で、箱本体１の背壁は、従来と同様に内箱１a、外箱１b、および背面断熱材１cで構成され、内部は内箱１aの前方にファン２、冷却器３、及び冷気通風往路５a、冷気通風復路５bが設けられ、その後方に断熱材１cがある（図６参照）。化粧板２５は貯蔵室の内方から取り付けて上記冷却器３や冷気通風復路５a，５b等を覆っている。
【００３５】
化粧板２５は、一枚板からなる通常の棚板１０，１１に対応するの面は、上記機器等の収納と食品の出し入れに手が届き易く前方に出して食品収納の基準壁面Ａ（主壁面）とし、下方寄りの前記伸縮自在棚２３（通常位置）の後方上下にわたる一部の領域を上記基準壁面Ａより外側の断熱材１c側に窪ませて、前記伸縮自在棚２３を奥に寄せて冷蔵庫を使用する場合の棚収納用の空間部２６としている。
【００３６】
棚収納用空間をなす窪み壁面２６aを内箱の化粧板側に設けることにより、棚収納用空間部２６の成形が簡単に行なえるものである。一方、断熱材１cが近くにある内箱側に設ける場合には、窪み部構成の為に断熱材発泡用雇の形状変更や断熱材側への部品取り付け構造などの変更などの機会にあわせることにより都合良く行なうこともできる。
【００３７】
前記棚収納用空間部２６の大きさは、少なくとも伸縮自在棚２３を、前棚２３aを後棚２３bに収納して前後方向の幅を略半分の小形サイズに縮めた時に、その短辺を垂直にして収納可能な高さ寸法とし、前後方向は伸縮自在棚２３の厚みを収納できる窪み深さにしてある。
【００３８】
この構成により、伸縮自在棚２３は棚収納用空間部２６内に、略垂直姿勢に近づければ側方端にある小片の係合片と支軸２９を除き棚主要部のほぼ全体を納めることができる。したがって、その時に窪みの深さを最小限にすることができるものである。また、上記の棚収納用空間部２６は食品収納の基準面Ａの後方外側に位置しているので、食品の収納を邪魔するようなことことはない。
【００３９】
また、貯蔵室２１の内箱１aは樹脂の真空成形品で作られており、伸縮自在棚２３を下方から支えるレール２７が内箱１aの両側壁から内部に突き出させて一体に成形されている。レール２７は中間に切欠き２８があって、前レール２７aと後レール２７bとで成っている。切欠き２８の作用については後で説明する。
【００４０】
次に、伸縮自在棚２３の伸縮動作およびレール２７との関係について図２、図３、図４を用いて説明する。図２に示すように、伸縮自在棚２３は前棚２３aと後棚２３bの２体からなり、前棚２３aを後棚２３bの枠を案内に摺動させて後棚２３b内に収納できるもので、棚幅を前後方向に変えることができるものである。後棚２３bには左右端には下面の両側部から外側に突出する支軸２９が設けられている。伸縮自在棚２３は、伸ばした時および縮めた時共に、図３、図４に示すように、レール２７の上面と後レール２７bの後方寄りの上面に設けた軸受部３０によってほぼ水平に保持される。
【００４１】
引き伸ばして使用する時の位置決めは、図３に示すように前棚２３aに下向きに付けたフランジ３１a，３１bで前レール２７aの上向き突部３２を挟持しして行ない、引き過ぎは前棚２３aに設けた係合片３４を前レール２７a先端の下向き突部３５を壁にして防止される。
【００４２】
前棚２３aを後棚２３bに収納して縮めて使用する時の位置決めは、図４に示すように前レール２７aの溝３３にフレンジ３１bを係合させて行ない、縮めた際の押し過ぎは前記係合片３４を前レール２７aの段差部３６を壁にして防止される。
【００４３】
伸縮自在棚２３の浮き上がり防止は、前記係合片３４で前レール２７aあるいは後レール２７bを抱えて行なわれる。また、回動時の係合の解除は、前方に僅かに引いて切欠き２８位置から前記係合片部３４を上げれば容易に係合を解除できる。上記一旦前に引く操作は、後端２３aaが棚収納用の窪み壁面に当接するのを防止できる動作と同一方向であって、後で記述するが、軸受部３０に設けた受面形状の思考は棚の動作方向で都合良く合う構成となるものである。
【００４４】
伸縮自在棚２３の前棚２３aは、後棚２３b内に移動可能であって、前棚２３aを後棚２３bに収納した状態で回動可能であり、且つ貯蔵室２１の奥側に収納できるようにする為に、後棚２３bに回動の為の支軸２９が設けられている。
【００４５】
上記構成によって、前棚と後棚が一体化されて棚幅が略半分に縮小された小形な棚となるので回動立ち上げの回転体積が小となり、上段の棚から距離が取れることになる。よって、棚間寸法を狭めることができる。また、棚収納用空間部も小さく配設も容易となる。また、取り扱いが容易になるほか、棚収納用空間部内に入った棚の保持は前棚あるいは後棚のいずれかを簡単な保持手段で用いて行なうことができる。
【００４６】
軸受部３０の受面形状は、伸縮自在棚２３をレール２７に載せた通常使用状態における支軸２９の位置から少なくとも前方に向かって幅を所定寸法だけ増し、且つ途中から前方上がりの幅広受面３０aを有して前記の当接防止に対応できる構成になっている。
【００４７】
上記受面形状による動作を図１に戻って説明すると。伸縮自在棚２３を回動して立ち上げる場合、仮に支軸２９の点を変えず（前に移動しない）に回動すると、伸縮自在棚の後端２３bbが窪み壁面２６aに当接して回転が停止してしまうことになるので、本実施例では回動当初に一旦前方に移動する（引く）ことを可能にし、伸縮自在棚の後端２３bbが、窪み壁面２６aに当るのを吸収できる逃げ部を軸受部３０の受面に形成したものである。
【００４８】
また、幅広受面３０aを前方上がりの斜めにした構成により、水平に広くした場合の作用に加え、伸縮自在棚２３は、前記係合を解除しながら回動して自然的に前記収納用空間部２６向かって入り易い後方下がりに傾く姿勢となり下降できる体制が得られる。よって、上記逃げ部を設けたことにより、棚収納用の空間部の窪み量を小さくすることができるので、壁間の断熱材側へ影響（壁間の断熱性能および機器配置、寸法の変更）を最小限にできるものである。また、棚（２３）の通常使用時に後端（２３bb）と窪み壁面（２６a、または４４a）との間を小さくできるので、食品の棚（２３）より棚収納用の空間部に落下するのを防止できる。
【００４９】
また、レール２７bにおいて、前棚２３aを後棚２３bに収納して縮めた状態で後棚２３b（伸縮自在棚２３をたたんだ形態）を棚収納用空間部２６に誘導するための傾斜ガイド斜面３８が、後方レール２７bに続いて後方を下に向けて設けてある。すなわち、レールの軸受３０部とガイド斜面が連続して形成されているので、棚をスムーズに移動させながら棚収納用空間部に向かう姿勢が得られるものである。また、この際、前棚と後棚が小形に一体化された状態で、且つガイド斜面に案内されるので、棚の前端(２３aa)が上段棚（２２）に衝突して食品を傷めるようなことがないものである。
【００５０】
さらには、後レール２７bには、棚収納用空間部２６の下方に位置するガイド水平部３９と、通常位置（棚が水平）から上記ガイド水平部３９に案内するガイド斜面３８が伸縮自在棚２３の支軸２９を支える軸受部３０に続いて一体に設けられている。この構成により、伸縮自在棚２３を棚収納用空間部２６に収納する場合には、伸縮自在棚２３は上記ガイド斜面に沿って摺動が行われ、自動的に支軸２９の位置が上記ガイド水平部３９まできた時点で、棚収納用空間部２６内の所定位置に縦に入り込む。よって、伸縮自在棚２３により、食品収納を邪魔することはない。
【００５１】
棚収納用空間部２６内に入れられた伸縮自在棚２３は、上端２３aa近傍において、化粧板２５あるいは内箱１aの側面等の本体側との間で係止片４０を用いて固定している。すなわち、前棚２３aが後棚２３bに収納されて小形となり、且つ下端２３aaの位置が決まるので、簡単な保持機構により収納状態を維持することができて傾斜や転倒して棚が収納用空間部からはみだすというような問題を無くすことができる。しかも、略垂直に収納保持することができるので空間部の窪み深さを最小限にできる。
【実施例２】
【００５２】
図５に本発明の冷蔵庫の実施例２における伸縮自在棚の回動形状と棚収納構造を示す。尚、実施例１と同一構成については、同一番号を用い、説明を省略し、異なる部分について説明する。
【００５３】
図５において、化粧板４２の下方寄りには上方の主壁面４２aよりも外側に向けた第１の窪み部４４を設けて、棚収納用の空間部４３を構成している。第１の窪み部４４の寸法は、実施例１と同様に、伸縮自在棚２３の通常使用時位置の後方上下にわたり設けられ、少なくとも伸縮自在棚２３を、前棚２３aを後棚２３bに収納して縮めた時の前後方向の幅を収納できる高さとなし、前後方向は伸縮自在棚２３の厚みを収納できる深さにしてある。
【００５４】
加えて、第１の窪み部４４の壁面にさらに外側に向けた第２の窪み部４５を設けてある。仮に、第１の窪み部壁面４４aが下方に平坦にして支軸２９を中心に回動させたとすると、伸縮自在棚の後端２３bbが窪み壁面（４４a）に当接して回転が停止してしまうことになるので、本実施例ではこの当接するのを吸収できる逃げ部を、この第２の窪み部４５で形成したものである。該第２の窪み部４５は、伸縮自在棚２３の通常使用時の高さ位置より僅かに高い位置から下方にわたり、伸縮自在棚２３の支軸２９点を中心に回動する時の後端２３bbの回転軌跡に沿って、後端２３が当接しない隙間をとって湾曲形状に設けられている。
【００５５】
前記第１の窪み部４４の構成による効果は、実施例１の場合と同様でありここでは説明を省略するが、上記第２の窪み部４５の構成により、伸縮自在棚２３の通常使用時の後端２３bbに最も近い第１の窪み壁面４４aと第２の窪み部４５aの上端の境界点は、前後方向空間をほぼ零まで小さくできるものである。したがって、棚収納用の空間部の窪み量を小さくすることができので、壁間の断熱材側へ影響（壁間の断熱性能および機器配置、寸法の変更）を最小限にできるものである。また、棚（２３）の通常使用時に後端（２３bb）と窪み壁面（２６a、または４４a）との間を小さくできるので、食品が棚（２３）より棚収納用の空間部に落下するのを防止できる。
【００５６】
また、後レール２７bには、棚収納用空間部２６の下方にて該棚後端を当接させて位置決めをするガイド水平部３９と、通常位置（棚が水平）から上記ガイド水平部３９に案内するガイド斜面３８が伸縮自在棚２３の支軸２９を支える軸受部３０に続いて一体に設けられている。
【００５７】
伸縮自在棚２３を棚収納用空間部２６に収納する場合には、伸縮自在棚２３は上記ガイド斜面に沿って摺動が行われ、自動的に後端２３bbの位置が上記ガイド水平部３９に当接したときには、後端２３bbは保管すべき下端位置として決まるものである。この場合、本実施例２では実施例1の場合に比較して、下端位置決めが確度良くにできるほか、ガイド水平部３９が、伸縮自在棚２３の重心ラインを下方から支えるので、伸縮自在棚２３の降下による損傷を防止できる。
【００５８】
棚収納用空間部２６内に入れられた伸縮自在棚２３は、実施例１と同様に簡単な保持機構により収納状態が維持され、その効果も同様に得ることができる（本項では説明を省略する）。
【００５９】
なお、以上の実施例では、棚収納時の高さ位置をガイドの水平部を用いて決めるものであるが、所定位置に留められる構造であれば、水平にこだわらないものである。
【００６０】
また、実施例１，２では伸縮自在の棚装置を例に説明したが、これに限定されず、通常の一枚棚においても構成を活用できるものである。
【図面の簡単な説明】
【００６１】
【図１】本発明の冷蔵庫の実施例１における伸縮自在棚の回動形状と棚収納構造を示す断面図。
【図２】本発明の冷蔵庫の実施例１における伸縮自在棚部の伸ばした状態とレール部の相対関係を示す斜視図。
【図３】本発明の冷蔵庫の実施例１における伸縮自在棚部の伸ばした状態を示す側面図。
【図４】本発明の冷蔵庫の実施例１における伸縮自在棚部の前棚を縮めた状態を示す側面図。
【図５】本発明の冷蔵庫の実施例２における伸縮自在棚の回動形状と棚収納構造を示す断面図。
【図６】従来の冷蔵庫の貯蔵室断面図。
【図７】従来の冷蔵庫における伸縮自在棚の回動形状と周辺構造の説明図。
【符号の説明】
【００６２】
１…箱本体、１a…内箱、１c…背面断熱材、３…冷却器、５ａ…冷気通風往路、５ｂ…冷気通風復路、２１…貯蔵室、２２…棚板、２３…伸縮自在棚、２３a…前棚、２３b…後棚、２３aa…前端、２３bb…後端、２４…小物収納コーナ、２５…化粧板、２６，４３…空間部、２６a…窪み壁面、２７，４６…レール、２７a…前レール、２７b…後レール、２８…切欠き、２９…支軸、３０，４７…軸受部、３０a…受面、３１a，３１b…前方フランジ、３２…上向き突起、３３…溝、３４…係合片、３５…下向き突起、３６…段差、３７…斜面、３８，４８…ガイド斜面、３９，４９…ガイド水平部、４０…係止片、４４…第１の窪み部、４５…第２の窪み部。
【図１】
2006170546.tif 000003
【図２】
2006170546.tif 000004
【図３】
2006170546.tif 000005
【図４】
2006170546.tif 000006
【図５】
2006170546.tif 000007
【図６】
2006170546.tif 000008
【図７】
2006170546.tif 000009